(57)【特許請求の範囲】
【請求項１】
ビス頭部の上段部の内側に大径雌ねじ部が右ねじに形成され、前記ビス頭部の下段部の内側に前記大径雌ねじ部と同軸上にある小径雌ねじ部が左ねじに形成され、
ビットの一端部に前記大径雌ねじ部に螺合する大径雄ねじ部が右ねじに形成され、前記ビットの他端部に前記小径雌ねじ部に螺合する小径雄ねじ部が左ねじに形成され、
前記ビスを締め付ける際は、前記ビス頭部の前記大径雌ねじ部に前記ビットの前記大径雄ねじ部を螺合させて一体として締め付ける、一方前記ビスを緩める際は、前記ビス頭部の前記小径雌ねじ部に前記ビットの前記小径雄ねじ部を螺合させて一体として緩めることを特徴とするビス及びビットの一対工具。
【請求項２】
前記ビス頭部の上段部の前記大径雌ねじ部の周囲にプラスビットの先端部と係合するプラスビット用溝が形成されることを特徴とする請求項１に記載のビス及びビットの一対工具。
【発明の詳細な説明】
【技術分野】
【０００１】
本発明は、ビスを締め付ける又は緩める作業が完了するまでビットから離れないビス及びビットの一対工具に関する。
【背景技術】
【０００２】
従来から、ビスを材に締め付ける又は緩める際に、ビスの頭部からビットが外れることが多い。また、小さなビスを締め付ける又は緩める際には、ビスを落下させることが多い。そのため、ビスを締め付ける又は緩める作業が完了するまでビスから手を離せないという問題があった。
【０００３】
上記のような問題を解決するため、ビス保持機能（落下防止等）を有するビスに関して、例えば、以下に示すような先行技術が提案されている。
【０００４】
実開平７−７８７２号公報（特許文献１）には、頂部中心に係止孔を縦設したビスと、前記ビスの係止孔に嵌合係止される係止体をドライバー杆の先端部中心に突設したドライバーとを組み合わせた「ビスとドライバーの組み合わせ並びにそのビスとドライバー」が提案されている。
【０００５】
また、実開平５−８０６７４号公報（特許文献２）には、ビット先端に設けたビス係止用突起でビスを確実に保持する「ビスビット」が提案されている。
【０００６】
また、実開平７−２２７７７０号公報（特許文献３）には、適度な保持力でビス等を保持する「キャッチアダプタ」が提案されている。
【０００７】
また、特開平７−１３５２号公報（特許文献４）には、チューブの弾力にて、ネジをネジ回しの先端に押さえつける「チューブ付きネジ回し」が提案されている。
【０００８】
また、実開昭５１−６２１９８号公報（特許文献５）には、一定の姿勢で確実に保持できる「ドライバー用ねじホルダー」が提案されている。
【先行技術文献】
【特許文献】
【０００９】
【特許文献１】実開平７−７８７２号公報
【特許文献２】実開平５−８０６７４号公報
【特許文献３】実開平７−２２７７７０号公報
【特許文献４】特開平７−１３５２号公報
【特許文献５】実開昭５１−６２１９８号公報
【発明の概要】
【発明が解決しようとする課題】
【００１０】
しかし、上記の特許文献１〜５に記載されている技術では、ビスとビットが噛み合わなかった場合、ビスを締め付ける作業中にビスが外れたり又は斜めにねじ込まれたりする問題が考えられる。
【００１１】
そこで、本発明は、上記問題に鑑みて本願発明者が鋭意開発したものであり、ビスを締め付ける又は緩める作業が完了するまでビットから離れないビス及びビットの一対工具を提供することを目的とする。
【課題を解決するための手段】
【００１２】
上記の課題を解決するために、請求項１に記載の発明は、ビス頭部の上段部の内側に大径雌ねじ部が右ねじに形成され、前記ビス頭部の下段部の内側に前記大径雌ねじ部と同軸上にある小径雌ねじ部が左ねじに形成され、ビットの一端部に前記大径雌ねじ部に螺合する大径雄ねじ部が右ねじに形成され、前記ビットの他端部に前記小径雌ねじ部に螺合する小径雄ねじ部が左ねじに形成され、前記ビスを締め付ける際は、前記ビス頭部の前記大径雌ねじ部に前記ビットの前記大径雄ねじ部を螺合させて一体として締め付ける、一方前記ビスを緩める際は、前記ビス頭部の前記小径雌ねじ部に前記ビットの前記小径雄ねじ部を螺合させて一体として緩めることを特徴とする。
【００１３】
また、請求項２に記載の発明は、請求項１に記載の前記ビス頭部の上段部の前記大径雌ねじ部の周囲にプラスビットの先端部と係合するプラスビット用溝が形成されることを特徴とする。
【発明の効果】
【００１４】
以上のように、本発明にかかるビス及びビットの一対工具によれば、ビスとビットを螺合させて固定することができるため、ビスを締め付ける又は緩める際にビスとビットが一体となり、ビスを持たないで作業ができる、これにより、高所での作業、上向きでの作業又は狭いところでの片手での作業などにおいて、ビスを締め付ける又は緩める作業効率が向上する。また、作業中ビスの落下を確実に防止することができることから、材をビットの先端で傷つける又はビットによる指先のケガなどが無くなる。
【図面の簡単な説明】
【００１５】
【図１】本発明にかかるビスの一例を示す正面部分断面図
【図２】図１の平面図
【図３】本発明にかかるビットの一例を示す正面図
【図４】図３の底面図
【図５】図３の平面図
【図６】図１のビスを締め付ける際の正面部分断面図
【図７】図１のビスを締め付ける際の使用状態を示す斜視図
【図８】図１のビスを緩める際の正面部分断面図
【図９】図１のビスを緩める際の使用状態を示す斜視図
【図１０】本発明にかかるビスの他例を示す正面部分断面図
【図１１】図１０の平面図
【図１２】図１０のビスを締め付ける又は緩める際の正面部分断面図
【発明を実施するための形態】
【００１６】
以下、本発明の実施の一形態について図面を参酌しながら説明する。なお、本発明にかかるビス及びビットの各構成については、以下の実施例に限定されるものではなく、使用状況によって適宜変更することができる。
【００１７】
図１は本発明にかかるビスの一例を示す正面部分断面図、図２は平面図である。図１又は図２に示すように、ビス頭部１ａの上段部の内側には大径雌ねじ部２が右ねじに形成されている。また、ビス頭部１ａの下段部の内側には大径雌ねじ部２と同軸上にある小径雌ねじ部３が左ねじに形成されている。尚、大径雌ねじ部２と小径雌ねじ部３の直径及び深さは、ビス頭部１ａの直径及び厚さに応じて適宜変更することができる。
【００１８】
図３は本発明にかかるビットの一例を示す正面図、図４は底面図、図５は平面図である。図３乃至図５に示すように、電動ドライバーに取り付けるビット４の一端部には大径雌ねじ部２に螺合する大径雄ねじ部５が右ねじに形成されている。また、ビット４の他端部には小径雌ねじ部３に螺合する小径雄ねじ部６が左ねじに形成されている。
【００１９】
図６はビスを締め付ける際の正面部分断面図、図８はビスを緩める際の正面部分断面図である。図６に示すように、ビス１を締め付ける際は、ビス頭部１ａの大径雌ねじ部２にビット４の大径雄ねじ部５を螺合させ右回りに回転させて締め付ける。これにより、ビス１を締め付ける際にビス１とビット４が一体となり、ビス１を持たないで締め付け作業ができる（図７参照）。一方、図８に示すように、ビス１を緩める際は、ビス頭部１ａの小径雌ねじ部３にビット４の小径雄ねじ部６を螺合させ左回りに回転させて緩める。これにより、ビス１を緩める際にビス１とビット４が一体となり、ビス１を持たないで緩める作業ができる（図９参照）。
以上のように、ビス１を締め付ける又は緩める作業が完了するまでビット４から離れないビス及びビットの一対の構造を採用することにより、ビス１を締め付ける又は緩める作業効率が向上するとともに、作業中ビス１の落下を確実に防止することができる。
【００２０】
次に、図１０は本発明にかかるビスの他例を示す正面部分断面図、図１１は平面図である。図１０又は図１１に示すように、ビスの他例は上述した例と同様にビス頭部１ａの上段部の内側には大径雌ねじ部２が右ねじに形成され、ビス頭部１ａの下段部の内側には大径雌ねじ部２と同軸上にある小径雌ねじ部３が左ねじに形成されている。加えてビス頭部１ａの上段部の大径雌ねじ部２の周囲にプラスビット８（図１２参照）の先端部と係合する側面視テーパー状のプラスビット用溝７（４カ所）が形成されている。このように、プラスビット用溝７を付加することにより、図１２に示すように、プラスビット８を使用してビス１を締め付ける又は緩める作業を行うことも可能になる。
【符号の説明】
【００２１】
１  ビス
１ａ  ビス頭部
２  大径雌ねじ部
３  小径雌ねじ部
４  ビット
５  大径雄ねじ部
６  小径雄ねじ部
７  プラスビット用溝
８  プラスビット
【要約】
【課題】ビスを締め付ける又は緩める作業が完了するまでビットから離れないビス及びビットの一対工具を提供する。
【解決手段】ビス頭部１ａの上段部の内側に大径雌ねじ部２が右ねじに形成され、ビス頭部１ａの下段部の内側に大径雌ねじ部２と同軸上にある小径雌ねじ部３が左ねじに形成され、ビット４の一端部に大径雌ねじ部２に螺合する大径雄ねじ部５が右ねじに形成され、ビット４の他端部に小径雌ねじ部３に螺合する小径雄ねじ部６が左ねじに形成される。加えて、ビス頭部１ａの上段部の大径雌ねじ部２の周囲にプラスビットの先端部と係合するプラスビット用溝が形成される。
【選択図】図６【図１】
0006892182.tif 000002
【図２】
0006892182.tif 000003
【図３】
0006892182.tif 000004
【図４】
0006892182.tif 000005
【図５】
0006892182.tif 000006
【図６】
0006892182.tif 000007
【図７】
0006892182.tif 000008
【図８】
0006892182.tif 000009
【図９】
0006892182.tif 000010
【図１０】
0006892182.tif 000011
【図１１】
0006892182.tif 000012
【図１２】
0006892182.tif 000013